(57)【要約】【課題】従来の引磬では座布団を介していることから、引磬の鈴の振動が座布団により、広範囲に接しているため、振動が制御されて、余韻が短く、また、高域の高い振動数の音が消されていた。またその鈴を打ち鳴らす鈴棒を使いやすくする必要があった。【解決手段】鈴と鈴座布団との間に空間を設け、鈴底部中央部で連結されていることを特徴とする引磬とした。さらに反響支持板を付帯させて、同様に連結することで、音を反響用支持板により反響させることで音の音色の調整を可能とし、音の方向性やエネルギー効率を高めた。【選択図】  図４
2008264421.tif 000002
【特許請求の範囲】
【請求項１】
鈴と鈴座布団との間に空間を設け、鈴底部中央部で連結されていることを特徴とする引磬
【請求項２】
請求項１に記載の鈴座布団を排し、鈴底部中央部で柄と直接連結されることを特徴とする引磬
【請求項３】
請求項１の鈴と鈴座布団の間に反響用支持板を有し、その反響用支持板と鈴との間に空間を設け、鈴底部中央部で連結されていることを特徴とする引磬
【請求項４】
請求項１に記載の鈴座布団に代えて反響用支持板を有することを特徴とする請求項１に記載の引磬
【請求項５】
引磬を打鳴らすための鈴棒を付帯する機構を設けたことを特徴とする請求項１，２，３または４の引磬
【請求項６】
請求項５の付帯方法が磁力による付帯方法であることを特徴とする請求項５に記載の引磬
【請求項７】
鈴棒の打撃部位の中心軸に沿って、重量物を設けたことを特徴とする
鈴棒を用いた請求項５または請求項６の引磬
【請求項８】
請求項７における重量物が鉄等の強磁性体もしくは磁石からなるりん棒を備えたことを特徴とする請求項７に記載の引磬
【請求項９】
引磬を平面に置いたときに、安定して鈴が平面に接することなく柄がのほうが下に傾く重量バランスを設けたことを特徴とする請求項1、３、４、５、６または８の引磬
【発明の詳細な説明】
【技術分野】
【０００１】
本発明は宗教用具の引磬に関するものである。
【背景技術】
【０００２】
引磬は宗教的な道具であり、祭事の際に柄を持って打ち鳴らすものである。
従来の引磬は鈴と鈴座布団を介した柄からなり、打ち鳴らすための鈴棒は紐などで付帯し、なくさない様に工夫されている。特願２００３−１９６４７に見られるように、柄の中に鈴棒を収納できるように工夫した引磬などがある。
【０００３】
一方では引磬に属さないが、宗教用具のおりんとして、音をよりよく、鳴らすようにさまざまな工夫がされてきた。特開平８−２０５９８９にみられるようにりん台との間に空間を設けて、鳴りが良くなるように工夫したり、座布団を排したりしたものもある。
【０００４】
また、鈴棒に関しては、引磬の鈴棒ではないが、大鈴用の撥が特開２００６−２０９０３でみられるように、打部の先端に重量物を埋め込むなどの工夫がされている。
【０００５】
実用新案登録第３０９１５６５号に見られるように弾性体を打部に用いて、鳴りに工夫を施すものであるとか、特開２００６−１６７４４２号のようにスタンド型鈴棒として重量を下部に持たせて安定させたものがある。
【０００６】
【特許文献１】特開２００４−２２９７７１号
【特許文献２】特開平８−２０５９８９号
【特許文献３】特開２００６−２０９０３
【特許文献４】実用新案登録第３０９１５６５号
【特許文献５】特開２００６−１６７４４２号
【発明の開示】
【発明が解決しようとする課題】
【０００７】
しかしながら、従来の引磬では座布団を介していることから、引磬の鈴の振動が座布団により、広範囲に接しているため、振動が制御されて、余韻が短く、また、高域の高い振動数の音が消されていた。
【０００８】
また、通常は鈴の重量が重く、卓上などの平面に置いたときに、鈴座布団を支点として鈴が下方向に向き、安定性が悪く、鈴に傷がつくといった危険があるために、わざわざ、
鈴の上部を下方にして、逆さに立てて置かれる場合が多かった。
【０００９】
また、鈴棒の収納に際して、柄の中に収める方法は便利ではあるが、取り出す際に
一度引きだしてから、使用するといった手間が必要だった。
【００１０】
引磬の鳴りがよく、使い勝手のよい引磬が本発明の課題である。
【課題を解決するための手段】
【００１１】
本発明として、ひとつは、鈴と鈴座布団との間に空間を設け、鈴底部中央部で連結されていることを特徴とする方法がある。
【００１２】
また、鈴座布団を排し、鈴底部中央部で連結されることを特徴とする方法もある。
【００１３】
あるいは鈴と鈴座布団の間に反響用支持板を有し、その反響用支持板と鈴との間に空間を設け、鈴底部中央部で連結されていることを特徴とする方法もある。
【００１４】
もしくは、鈴座布団を排しするとともに、鈴座布団に代えて反響用支持板を有することを特徴とする方法がある。このように空間を設けることで鈴座布団による鈴の振動の減衰を防ぐことができる。
【００１５】
引磬を打鳴らすための鈴棒を付帯する機構を設けたことを特徴とする引磬は便利である。
【００１６】
その付帯方法が磁力による付帯方法であることを特徴とする引磬とするとよりよい。
【００１７】
これらの鈴棒については、鈴棒の打撃部位の中心軸に沿って、重量物を設けたことを特徴とする鈴棒を用いると少ない力で鳴りがよい。
【００１８】
その重量物が鉄等の強磁性体もしくは磁石からなる鈴棒を備えたことを特徴とする方法がもっとも都合よく構成できる。
【００１９】
引磬を平面に置いたときに、安定して鈴が平面に接することなく柄のほうが下に傾く重量バランスを設けたことを特徴とする方法であると、鈴が汚れずに、鳴りを響かせたままおくことも出来る。
【発明の効果】
【００２０】
本発明で請求項１や２の発明によると鈴座布団による接触がなく、鈴が鳴りに
最も影響を受けにくい場所で支持されるので、鳴りが長くなる。
【００２１】
また、反響用支持板を構成することにより、座布団によって吸収されていた音が上方に反射されて、鳴りを上方に大きくすることができる。また、その反響用支持板の固有振動数にあわせて、鳴りを微妙に変化させることができて便利である。
【００２２】
特に座布団がいらないもので反響用支持板があるほうが、最も鳴りがよく、特に力を必要とせずに祭事に使用できる。
【００２３】
鈴棒を付帯する機構を設けることは非常に便利である。
特に磁力によって、構成してあるものは、意識せずに吸着力により、付帯できるので
便利である。
【００２４】
鈴棒に重量が増すと、少ないエネルギーで音量が大きく得られる。
その重量物が鉄などの磁性体や磁石でできていると、前発明と合わさって、利便性が高い。
【００２５】
引磬を平面に置いたときに、安定して鈴が平面に接することなく柄がのほうが下に傾く重量バランスを設けたことを特徴とすることで、鈴が汚れずに平面におけると同時にすぐに使用する際に、持ちやすい。その際、支点となる、反響用支持板は丸いと転がり不安定なので、多角形なり、安定するような形状が好ましい。
【発明を実施するための最良の形態】
【００２６】
本発明の実施例について図面を用いて説明する。
【実施例１】
【００２７】
図１は鈴座布団をはずして、反射支持板で構成された発明である。
鈴（１）は真鍮で構成した。特に金属等に限らず通常鈴として利用できるものであれば限定はない。反響支持板（２）も真鍮の板をもちいた。この材質は反響させる音に合わせて材質を変えればよい。木や磁器など、材質は問わない。また、本説明図では六角の真鍮板２枚を重ねて構成している。もちろん複数枚用いてもよい。反響支持板調整具（８）を持ちいて、反響振動数を調整させてもよい。反響支持板調整具（８）は黒檀で作成した。
柄（３）も黒檀で出来ているが、材質は特に問わない。リング状の磁石（４）を用いて
鈴棒（５）を付帯する機構を設けてある。磁石（４）はネオジュームを用いると強力で付帯予定位置以外の場所にも付帯するので便利である。鈴棒（５）は主に黒檀を用いているが特に材質に関して、鈴棒として適切なものであればよい。
図からは鈴（１）と反響支持板（２）との間の空間が見えないが、発明で説明してあるような構成になっている。
図４は鈴棒（５）実際に吸着されたときの形態を表す。
【実施例２】
【００２８】
図２は鈴棒（５）の縦断面図である。
重量物（６）が鉄などの強磁性体であって、図のように細長く構成することで、
さまざまな場所で任意に引磬の柄に付帯できるので便利である。
【実施例３】
【００２９】
図３は反響支持板（２１）が単純に構成されたものであり、鈴（１）との空間がわかり易いので、実施例とした。
【実施例４】
【００３０】
図５は平面状に本発明引磬を置いたときの説明図である。
このように柄（3）のほうに重心バランスが重いと安定して置ける。
【図面の簡単な説明】
【００３１】
【図１】本発明の実施例を示す正面図である。
【図２】本発明の鈴棒を示す縦断面図である。
【図３】本発明の実施形態を示す正面図である。
【図４】引磬に鈴棒が吸着して付帯させたときの正面図である。
【図５】平面上に引磬が置かれた状態の説明図である。
【符号の説明】
【００３２】
１        鈴
２        反響支持板
２１      反響支持板
３        柄
４        磁石
５        鈴棒
６        重量物
７        平面
８        反響支持板調整具
【図１】
2008264421.tif 000003
【図２】
2008264421.tif 000004
【図３】
2008264421.tif 000005
【図４】
2008264421.tif 000006
【図５】
2008264421.tif 000007